(57)【特許請求の範囲】
【請求項１】
魚釣用リールを取付けるリール脚載置部に対して径方向反対側からトリガーを突出させ、内部に挿通した竿管に固着されるキャスティングハンドルであって、
前記トリガーの竿尻側に、トリガーに指を掛けた手で握持される握り部を備え、この握り部は、竿管軸芯からリール脚載置部側に所定距離離隔した位置に、先端部の中心軸で形成される握り部軸芯と、リール脚載置部側に形成され、中間部から竿尻側に移行するにつれて、握り部軸芯に近接する傾斜部と、握り部軸芯に沿う外周面がこの握り部軸芯から均等距離に形成されるトリガー側指係合部とを有し、前記中間部の断面形状がリール脚載置部とトリガーとを結ぶ方向に長軸を有する楕円形状に形成されることを特徴とするキャスティングハンドル。
【請求項２】
前記握り部の竿尻側に配置される支持部を備え、この支持部は、竿管軸芯と同軸上に配置される支持部軸芯を有することを特徴とする請求項１に記載のキャスティングハンドル。
【発明の詳細な説明】
【０００１】
【発明の属する技術分野】
本発明は、魚釣用リールを取付けるリール脚載置部に対して径方向反対側からトリガーを突出させ、内部に挿通した竿管に固着されるキャスティングハンドルに関する。
【０００２】
【従来の技術】
このようなキャスティングハンドルの例が特公平１−１８６９９号公報に記載されている。この従来のキャスティングハンドルは、握り部の断面形状を楕円型に形成することにより、指全体で握った際の握持性を向上させると共に、この握り部の後部すなわち竿尻側を釣竿の軸線対してトリガー側に傾斜させることにより、ハンドルを握った際の手首のひねりを少なくし、安定した握持を可能とするものである。
このようなキャスティングハンドルを用いた釣竿でキャスティング操作する際は、両軸受型リールあるいは片軸受型リール等のタイプのリールを装着したリールシートを握持し、親指をリールの糸巻き部に置き、ルアーをキャスト後、リールから出ていく糸やスプールをこの親指で触れ、ルアーの飛びあるいはスプールの回転を調節するサミング操作が必要となる。
【０００３】
【発明が解決しようとする課題】
しかし、このような従来のキャスティングハンドルは、人差指をトリガーに掛け、中指と薬指と小指とで握り部を握持してキャスティング操作する際、サミング操作を好適に行うことが困難である。すなわち、サミング操作は親指で行うため、キャスティング時にこの親指が自由で、かつ、リールの近くに位置するほうが操作に好都合であるのに対し、従来のキャスティングハンドルにおける握り部のように、その前部と後部とがほぼ同程度の断面寸法を有する場合には、握持した中指と小指とで力を入れ難く、安定した状態で握持し続けるのが困難であり、この結果、親指の自由が制限される。また、握り部の竿尻側が釣竿の軸線に対してトリガー側に傾斜することにより、この握り部を握持した際に親指の位置がリールから離隔し、サミング操作がし難い。
【０００４】
本発明は、このような従来技術の実情に基づいてなされたもので、握持性が良好であると共に安定したキャスティング操作を行うことのできるキャスティングハンドルを提供することを目的とする。
【０００５】
【課題を解決するための手段】
上記目的を達成するため、本発明によると、魚釣用リールを取付けるリール脚載置部に対して径方向反対側からトリガーを突出させ、内部に挿通した竿管に固着されるキャスティングハンドルであって、
前記トリガーの竿尻側に、トリガーに指を掛けた手で握持される握り部を備え、この握り部は、竿管軸芯からリール脚載置部側に所定距離離隔した位置に、先端部の中心軸で形成される握り部軸芯と、リール脚載置部側に形成され、中間部から竿尻側に移行するにつれて、握り部軸芯に近接する傾斜部と、握り部軸芯に沿う外周面がこの握り部軸芯から均等距離に形成されるトリガー側指係合部とを有し、前記中間部の断面形状がリール脚載置部とトリガーとを結ぶ方向に長軸を有する楕円形状に形成されるキャスティングハンドルが提供される。
【０００６】
【発明の実施の形態】
図１〜図５は、本発明の好ましい実施形態によるキャスティングハンドル１０を示す。
本実施形態におけるキャスティングハンドル１０は、図５に概略的に示す魚釣用リール６を取付けるためのリールシート１２と、このリールシートの後部すなわち竿尻側に配置された握り部１４と、この握り部の竿尻側に配置された支持部１６とを備え、繊維強化樹脂製であるのが好ましい内部に挿通した竿管８に固着される。
【０００７】
リールシート１２は、内部に竿管８が貫通して装着される合成樹脂等からなる筒状のシート本体１８と、シート本体１８の先端側外周に形成されたネジ部に螺合されかつこのシート本体の長手方向に沿って移動可能な移動フード２０とを備える。この移動フード２０の先端側外周部には、コルク材あるいは硬めの発泡性樹脂材で形成された握持部材２２が固定され、この握持部材により前側支持部が形成される。また、移動フード２０の後端側内周部には、魚釣用リール６の取付脚部４の先端部を導入するための図示しない開口が、全周にわたって竿尻側に向けて開口する。
【０００８】
このシート本体１８は、リールの取付脚部４を載置するリール脚載置部２４をその中間部の一側に形成され、後端側には、上述の移動フード２０と共にリール６の取付脚部４を固定する固定フード２６を形成してある。この固定フード２６は、このリール６の取付脚部４の後端部を受けてこれを係止させる図示しない開口を先端側に向けて開口させる。更に、このシート本体１８の固定フード２６の近部では、リール脚載置部２４に対して径方向反対側からトリガー２８が突出する。このトリガー２８の先端側の部位すなわちリール脚載置部２４と径方向に対向した部位は、リールの全体を手で握り込んで操作するパーミング操作を容易とするために凹設されており、したがって、リール本体１８の中間部は扁平構造に形成される。本実施形態では、シート本体１８は、竿管８と別体に形成されて竿管８に接着剤等によって固定されているが、竿管８と一体に形成してもよい。
【０００９】
握り部１４は、コルク材あるいは硬めの発泡性樹脂材から筒状に形成された弾性筒状部材３０を備え、この筒状部材３０は、先端部をシート本体１８の後端部と嵌合させ、このシート本体１８の後端部と内部に挿通した竿管８とに接着剤等によって固定される。符号３２は、後端部を保護する保護リング３２を示す。
【００１０】
本実施形態では、握り部１４を形成する弾性筒状部材３０は、特に図３および図４の（Ａ），（Ｂ），（Ｃ）から明らかなように、先端部３０Ａがシート本体１８の後端部と連続した段部のない滑らかな外周部を形成し、中間部３０Ｂから後端部３０Ｃにかけて次第に縮径された外周部を形成する。また、図１に示すように、この筒状部材３０は、その先端部３０Ａの中心軸である握り部軸芯Ｎが竿管８の中心軸である竿管軸芯Ｒからリール脚載置部２４側に、例えば５ｍｍ〜１０ｍｍであるのが好ましい距離Ｈ1 に離隔してこの竿管軸芯Ｒと平行に配置される。
【００１１】
この筒状部材３０の外周部は、図１および図３に示すように、中間部３０Ｂから後端部３０Ｃにわたるリール脚載置部２４側が、後端部３０Ｃに移行するにつれて、握り部軸芯Ｎに近接する方向に傾斜した傾斜部３４として形成してある。この傾斜部３４は、握持を容易とする外方に突出した湾曲面で形成するのが好ましい。一方、トリガー２８側の外周部は、例えば４ｍｍ以下程度でほぼ３ｍｍであるのが好ましいほぼ均等な壁厚を有する指係合部３６を形成する。この指係合部３６は、先端部３０Ａから後端部３０Ｃまで握り部軸芯Ｎから均等距離に形成され、したがって竿管８とほぼ平行な外周面を形成する。このトリガー２８側の外周部は、傾斜部３４に対して径方向に対向した部位に、例えば０．５〜２ｍｍ程度で好ましくは１ｍｍ程度の極めて僅かな距離だけ外方に突出する盛上げ部３６ａを形成してあり、この傾斜部３４と盛上げ部３６ａとにより、この筒状部材３０を容易かつ確実に握持することができる。
【００１２】
更に、この筒状部材３０は、図２に示すように、先端部３０Ａから中間部３０Ｂに沿う側部が握り部軸芯Ｎとほぼ平行に延び、後端部３０Ｃの近部では握り部軸芯Ｎに向けて次第に縮径する。この筒状部材３０の全体は、握持し易い滑らかな外周面に形成してある。
【００１３】
このような外面形状を有する本実施形態の筒状部材３０は、図４の（Ａ）に示す先端部３０Ａが、ほぼ２５ｍｍ〜３５ｍｍであるのが好ましい握持し易い太さの円形断面を有する。また、図４の（Ｂ）に示す中間部３０Ｂの断面形状は、上下方向すなわちリール脚載置部２４およびトリガー２８を結ぶ方向の長軸と横方向の短軸とを有して側部に指を当てて安定させることが容易な楕円形状に形成し、これにより、キャスティングハンドル１０したがって竿管８を回転し難い形状とすることができる。更に、筒状部材３０の後端部３０Ｃは、図４の（Ｃ）に示すように、ほぼ１５ｍｍ〜２５ｍｍであるのが好ましい小径断面径状を有し、竿管８と同心状に配置される。これにより、筒状部材３０を握持した際に、小指に力を入れ易い構造に形成される。
【００１４】
本実施形態では、竿尻に配置された支持部１６は、握り部１４から竿尻側に例えば５０〜１００ｍｍ離隔した位置に配置してあり、上述の握持部材２２および筒状部材３０と同様なコルク材あるいは硬めの発泡性樹脂材から先細状に形成した握持部材３８と、好適な樹脂あるいは金属で形成されて尻栓を兼ねる円筒状の固定部材４０とを備える。これらの握持部材３８および固定部材４０は竿管８と同軸状に配置され、握持部材３８の後端部は固定部材４０の外周面と段差のない滑らかな外周面を形成する。なお、支持部１６は、このような握持部材３８に限らず、投擲を容易に行うことができるものであれば、全長にわたってほぼ同じ外径の円筒状、あるいは、後端側をテーパ状に縮径させて形成することも可能である。
【００１５】
この握持部材３８の最大外径したがって固定部材４０の外径はほぼ２０ｍｍ〜３０ｍｍ程度に形成するのが好ましい。この握持部材３８および固定部材４０のリール脚載置部２４側には、軸方向に沿って平坦面を形成してもよく、この場合には、握り部１４を把持した際に、この支持部１６に腕を載せやすくすることができる。また、この支持部１６は、手首をひねって投げる際に、邪魔にならないように、少なくともリール脚載置部２４側で、竿管軸線Ｒからの距離Ｈ2 が筒状部材３０の最大突出距離Ｈ3 よりも小さく形成する。このＨ3 とＨ2 との差は、ほぼ５〜１５ｍｍであることが好ましい。
【００１６】
図５は、このようなキャスティングハンドル１０に魚釣用リール６を固定した状態を示す。リール６の取付脚部４はその先端部と後端部とを移動フード２０と固定フード２６とでリール脚載置部２４上に保持される。
【００１７】
このキャスティングハンドル１０は、図１に示すように、握り部軸線Ｎが竿管軸線Ｒからリール脚載置部２４側に距離Ｈ1 離隔した位置に配置されるため、この握り部１４を握持した手が竿管８に対して上方すなわちリール６側に近接して位置し、更に、握り部１４の筒状部材３０がトリガー２８側の外周面が竿管８とほぼ平行に形成されるために、親指を前方まで容易に伸ばすことができる。そして、このように握り部１４を握持した手の薬指および小指に対向した掌が当接する部位に、外方に湾曲した傾斜部３４が形成され、次第に小径になるため、これらの薬指および小指に力を入れ易い。このため、キャスティングハンドル１０したがって釣竿８を安定して保持しつつ容易にサミング操作することができる。
【００１８】
また、中間部３０Ｂが図４の（Ｂ）に示すように、上下方向に長い楕円形状の断面を有するため、中指および薬指の腹をこの中間部３０Ｂの側部に当ててキャスティングハンドル１０および釣竿８を安定して保持することができる。
【００１９】
更に、本実施形態では、竿尻に位置する支持部１６の握持部材３８および固定部材４０が、竿管８と同軸上に配置されている。このように、支持部１６の軸芯が竿管軸芯Ｒと同軸上になく、これからずれた状態に配置されている場合には、リール６を上に配置した状態でキャスティングする場合あるいはリール６を横に配置した状態でキャスティングする場合等でサミング操作のタイミングが異なり、正確なポイントにキャスティングすることが困難である。これに対し、本実施形態では、一方の手で握り部１４を握持しかつ他方の手で支持部１６を握持しつつ、この釣竿を両手を使ってキャスティングする際、竿管軸芯Ｒ（図１）を基準としてキャスティング方向を定めることができ、仕掛けをコントロールし易く、狙ったポイントに正確にキャスティングすることができる。
【００２０】
【発明の効果】
以上明らかなように、本発明のキャスティングハンドルによると、親指を前方まで容易に伸ばすことができ、かつ小指に力を入れやすいために握持性が良好であると共に、断面形状が楕円形状に形成された中間部に指を当てて安定して保持し、安定したキャスティング操作を行うことができる。
【図面の簡単な説明】
【図１】本発明の好ましい実施形態によるキャスティングハンドルの側面図。
【図２】図２のキャスティングハンドルの平面図。
【図３】図１のキャスティングハンドルの握持部および支持部の内部構造を示す部分断面図。
【図４】図１のキャスティングハンドルの種々の部位の断面形状を示し、（Ａ），（Ｂ），（Ｃ）および（Ｄ）はそれぞれ図３のＡ−Ａ線，Ｂ−Ｂ線，Ｃ−Ｃ線およびＤ−Ｄ線に沿う断面図。
【図５】図１のキャスティングハンドルの使用状態の説明図。
【符号の説明】
１０…キャスティングハンドル、１４…握り部、２４…リール脚載置部、２８…トリガー、３４…傾斜部、３６…指係合部、Ｒ…竿管軸芯、Ｎ…握り部軸芯。
【図１】
0004028185.tif 000002
【図２】
0004028185.tif 000003
【図３】
0004028185.tif 000004
【図４】
0004028185.tif 000005
【図５】
0004028185.tif 000006